(57)【要約】【課題】  ネットワークのトラフィックを削減し、システム内の負荷の低減を図る。【解決手段】  位置検索管理サーバ１０は、検索者側端末６０から携帯端末８０の位置検索要求を受信した場合に、位置検索要求に含まれる検索対象ＩＤに対応する自営網登録番号に基づいて自営網用位置検索要求を生成し、この位置検索要求を自営網内交換機２０に送信する。位置検索管理サーバ１０は、自営網交換機２０から所定の時間内に応答信号が受信されないと判断した場合にのみ、上述した検索対象ＩＤに対応する公衆網登録番号に基づいて公衆網用位置検索要求を生成し、この位置検索要求を位置管理サーバ４０に送信する。位置検索管理サーバ１０は、自営網交換機２０または位置管理サーバ４０から受信した情報に基づいて検索者側端末６０に携帯端末８０の現在位置を通知する。【選択図】  図１
2005354609.tif 000002
【特許請求の範囲】
【請求項１】
検索対象を一意に特定する検索対象ＩＤを含む位置検索要求を受信する受信手段と、
前記受信手段により受信された前記検索対象ＩＤに基づいて、当該検索対象ＩＤに対応する検索対象の自営網内における自営網登録番号を含む自営網用位置検索要求を生成する第１の生成手段と、
前記第１の生成手段により生成された前記自営網用位置検索要求を前記自営網内の所定の交換装置に送信する第１の送信手段と、
前記第１の送信手段により送信された前記自営網用位置検索要求の送信先である前記交換装置から所定の時間内に所定の応答を受信したか否かを判断する応答判断手段と、
前記応答判断手段により前記時間内に所定の応答を受信していないと判断された場合に、前記受信手段により受信された前記検索対象ＩＤに基づいて、当該検索対象ＩＤに対応する検索対象の公衆網内における公衆網登録番号を含む公衆網用位置検索要求を生成する第２の生成手段と、
前記第２の生成手段により生成された前記公衆網用位置検索要求を前記公衆網内の所定の位置管理装置に送信する第２の送信手段と
を備えることを特徴とする位置検索管理装置。
【請求項２】
前記第２の送信手段により送信された前記公衆網用位置検索要求に対応する検索対象の現在位置を前記位置管理装置から受信する現在位置受信手段と、
前記現在位置受信手段により受信された前記現在位置を、前記受信手段により受信された前記位置検索要求の送信元に通知する通知手段とをさらに備え、
前記通知手段は、前記応答判断手段により前記時間内に所定の応答を受信したと判断された場合には、当該所定の応答に基づいて算出される検索対象の現在位置を、前記受信手段により受信された前記位置検索要求の送信元に通知することを特徴とする請求項１記載の位置検索管理装置。
【請求項３】
前記第１の生成手段は、前記検索対象ＩＤに基づいて、当該検索対象ＩＤに対応して予め記憶されている前記自営網登録番号を抽出する第１の抽出手段を含んで構成され、前記第１の抽出手段により抽出された前記自営網登録番号を含む自営網用位置検索要求を生成し、
前記第２の生成手段は、前記検索対象ＩＤに基づいて、当該検索対象ＩＤに対応して予め記憶されている前記公衆網登録番号を抽出する第２の抽出手段を含んで構成され、前記第２の抽出手段により抽出された前記公衆網登録番号を含む公衆網用位置検索要求を生成する
ことを特徴とする請求項１または請求項２に記載の位置検索管理装置。
【請求項４】
位置検索管理装置を、
検索対象を一意に特定する検索対象ＩＤを含む位置検索要求を受信する受信手段と、
前記受信手段により受信された前記検索対象ＩＤに基づいて、当該検索対象ＩＤに対応する検索対象の自営網内における自営網登録番号を含む自営網用位置検索要求を生成する第１の生成手段と、
前記第１の生成手段により生成された前記自営網用位置検索要求を前記自営網内の所定の交換装置に送信する第１の送信手段と、
前記第１の送信手段により送信された前記自営網用位置検索要求の送信先である前記交換装置から所定の時間内に所定の応答を受信したか否かを判断する応答判断手段と、
前記応答判断手段により前記時間内に所定の応答を受信していないと判断された場合に、前記受信手段により受信された前記検索対象ＩＤに基づいて、当該検索対象ＩＤに対応する検索対象の公衆網内における公衆網登録番号を含む公衆網用位置検索要求を生成する第２の生成手段と、
前記第２の生成手段により生成された前記公衆網用位置検索要求を前記公衆網内の所定の位置管理装置に送信する第２の送信手段として機能させるためのプログラム。
【発明の詳細な説明】
【技術分野】
【０００１】
本発明は、位置検索管理装置およびプログラムに関する。
【背景技術】
【０００２】
従来から、携帯端末を所持するユーザの現在位置を特定の検索者に提供するサービスが知られている。このサービスにおいては、例えば、検索者側の端末から発信された位置検索要求に基づいて、自営網や公衆網内に存在する携帯端末の位置情報を取得することにより、携帯端末を所持するユーザの現在位置を把握し提供している。下記特許文献１には、位置情報取得システムに関する技術であり、自端末の位置情報を公開するか否かを設定可能にする技術が開示されている。
【特許文献１】特開２００２−１６９５６号公報
【発明の開示】
【発明が解決しようとする課題】
【０００３】
ところで、従来、自営網用の登録番号と公衆網用の登録番号とが割り当てられた携帯端末の現在位置を提供するシステムにおいては、携帯端末の位置情報を自営網と公衆網の両方に問い合わせて取得しているため、いずれか一方の網に問い合わせるシステムに比べ、ネットワークに余分なトラフィックが発生し、システム内に余分な負荷が発生するという問題がある。
【０００４】
そこで、本発明は、上述した課題を解決するために、ネットワークのトラフィックを削減し、システム内の負荷の低減を図ることができる位置検索管理装置およびプログラムを提供することを目的とする。
【課題を解決するための手段】
【０００５】
本発明の位置検索管理装置は、検索対象を一意に特定する検索対象ＩＤを含む位置検索要求を受信する受信手段と、受信手段により受信された上記検索対象ＩＤに基づいて、当該検索対象ＩＤに対応する検索対象の自営網内における自営網登録番号を含む自営網用位置検索要求を生成する第１の生成手段と、第１の生成手段により生成された上記自営網用位置検索要求を上記自営網内の所定の交換装置に送信する第１の送信手段と、第１の送信手段により送信された自営網用位置検索要求の送信先である交換装置から所定の時間内に所定の応答を受信したか否かを判断する応答判断手段と、応答判断手段により上記時間内に所定の応答を受信していないと判断された場合に、受信手段により受信された検索対象ＩＤに基づいて、当該検索対象ＩＤに対応する検索対象の公衆網内における公衆網登録番号を含む公衆網用位置検索要求を生成する第２の生成手段と、第２の生成手段により生成された公衆網用位置検索要求を公衆網内の所定の位置管理装置に送信する第２の送信手段とを備えることを特徴とする。
【０００６】
また、本発明のプログラムは、位置検索管理装置を、検索対象を一意に特定する検索対象ＩＤを含む位置検索要求を受信する受信手段と、受信手段により受信された検索対象ＩＤに基づいて、当該検索対象ＩＤに対応する検索対象の自営網内における自営網登録番号を含む自営網用位置検索要求を生成する第１の生成手段と、第１の生成手段により生成された自営網用位置検索要求を自営網内の所定の交換装置に送信する第１の送信手段と、第１の送信手段により送信された自営網用位置検索要求の送信先である交換装置から所定の時間内に所定の応答を受信したか否かを判断する応答判断手段と、応答判断手段により上記時間内に所定の応答を受信していないと判断された場合に、受信手段により受信された検索対象ＩＤに基づいて、当該検索対象ＩＤに対応する検索対象の公衆網内における公衆網登録番号を含む公衆網用位置検索要求を生成する第２の生成手段と、第２の生成手段により生成された公衆網用位置検索要求を公衆網内の所定の位置管理装置に送信する第２の送信手段として機能させることを特徴とする。
【０００７】
これらの発明によれば、位置検索管理装置は、第１の送信手段を備えることにより、第１の生成手段により生成された検索対象の自営網内における自営網登録番号を含む自営網用位置検索要求を自営網内の所定の交換装置に送信することができ、応答判断手段を備えることにより、交換装置から所定の時間内に所定の応答を受信しているか否かを判断することができる。また、第２の送信手段を備えることにより、応答判断手段により交換装置から所定の時間内に所定の応答を受信していないと判断された場合に限り、第２の生成手段により生成された検索対象の公衆網内における公衆網登録番号を含む公衆網用位置検索要求を公衆網内の所定の位置管理装置に送信することができる。したがって、自営網内に検索対象が存在しないと判断された場合にのみ、公衆網に検索対象の現在位置を問い合わせることができるため、ネットワークのトラフィックを削減し、システム内の負荷の低減を図ることが可能になる。
【０００８】
本発明の位置検索管理装置において、第２の送信手段により送信された公衆網用位置検索要求に対応する検索対象の現在位置を位置管理装置から受信する現在位置受信手段と、現在位置受信手段により受信された現在位置を、受信手段により受信された位置検索要求の送信元に通知する通知手段とをさらに備え、当該通知手段は、応答判断手段により上記時間内に所定の応答を受信したと判断された場合には、当該所定の応答に基づいて算出される検索対象の現在位置を、受信手段により受信された位置検索要求の送信元に通知させることが好ましい。
【０００９】
このようにすれば、検索対象が自営網内に存在する場合には自営網内における現在位置を位置検索要求の送信元に対して通知させることができ、検索対象が公衆網内に存在する場合には公衆網内における検索対象の現在位置を位置検索要求の送信元に対して通知させることができる。
【００１０】
本発明の位置検索管理装置において、第１の生成手段は、上記検索対象ＩＤに基づいて、当該検索対象ＩＤに対応して予め記憶されている自営網登録番号を抽出する第１の抽出手段を含んで構成され、第１の抽出手段により抽出された自営網登録番号を含む自営網用位置検索要求を生成し、第２の生成手段は、検索対象ＩＤに基づいて、当該検索対象ＩＤに対応して予め記憶されている公衆網登録番号を抽出する第２の抽出手段を含んで構成され、第２の抽出手段により抽出された公衆網登録番号を含む公衆網用位置検索要求を生成させることが好ましい。
【００１１】
このようにすれば、検索対象ＩＤに対応して予め記憶されている自営網登録番号または公衆網登録番号を抽出し、この抽出した自営網登録番号または公衆網登録番号を含む位置検索要求を生成させることができる。
【発明の効果】
【００１２】
本発明に係る位置検索管理装置およびプログラムによれば、ネットワークのトラフィックを削減し、システム内の負荷の低減を図ることができる。
【発明を実施するための最良の形態】
【００１３】
以下、本発明に係る位置検索管理装置の実施形態を図面に基づき説明する。なお、各図において、同一要素には同一符号を付して重複する説明を省略する。
【００１４】
図１は、実施形態における位置検索管理システム１の構成を例示する図である。図１に示すように、位置検索管理システム１は、位置検索管理サーバ（位置検索管理装置）１０と、自営網内交換機（交換装置）２０と、オフィスアンテナ３０と、位置管理サーバ（位置管理装置）４０と、基地局５０と、検索者側端末６０と、公衆回線７０と、携帯端末８０とを有する。位置検索管理サーバ１０、位置管理サーバ４０、基地局５０および検索者側端末６０は、公衆回線７０に接続されており、公衆回線７０を経由して相互にデータの送受信を行うことができる。公衆回線７０は、基地局や交換局等からなる移動通信網や、固定電話網を含んで構成されている。また、本実施形態においては、位置管理サーバ４０、複数の基地局５０、検索者側端末６０および公衆回線７０により公衆網が構成され、自営網内交換機２０および複数のオフィスアンテナ３０により自営網が構成されている。
【００１５】
次に、図１に示される各装置について説明する。図１に示される位置検索管理サーバ１０は、検索者側端末６０から受信した位置検索要求に基づいて、検索対象である携帯端末８０が存在する現在位置の検出を、まず自営網から試み、この自営網から検出できない場合にのみ公衆網から行うことにより、携帯端末８０の現在位置を検索者側端末６０に通知する装置である。
【００１６】
ここで、図２を参照して位置検索管理サーバ１０の機能構成について説明する。図２に示すように、位置検索管理サーバ１０は、検索要求受信部（受信手段）１１と、自営網検索要求生成部（第１の生成手段）１２と、自営網検索要求送信部１３（第１の送信手段）と、応答判断部（応答判断手段）１４と、位置算出部１５と、公衆網検索要求生成部（第２の生成手段）１６と、公衆網検索要求送信部（第２の送信手段）１７と、位置情報受信部（現在位置受信手段）１８と、通知部（通知手段）１９と、位置情報蓄積部１Ａと、記憶部１Ｂとを有している。
【００１７】
検索要求受信部１１は、検索対象である携帯端末８０を一意に特定する検索対象ＩＤを含む位置検索要求を、検索者側端末６０から受信する。
【００１８】
自営網検索要求生成部１２は、検索要求受信部１１により受信された検索対象ＩＤに基づいて、この検索対象ＩＤに対応する検索対象の自営網内における自営網登録番号を含む自営網用位置検索要求を生成する。具体的に説明すると、自営網検索要求生成部１２は、検索対象ＩＤに基づいて、記憶部１Ｂにより検索対象ＩＤに対応して記憶されている自営網登録番号を抽出する自営網登録番号抽出部（第１の抽出手段）１２Ａを含んで構成されている。自営網検索要求生成部１２は、自営網登録番号抽出部１２Ａにより抽出された自営網登録番号を含む自営網用位置検索要求を生成する。
【００１９】
ここで、図３を参照して、記憶部１Ｂにより管理されているデータベースのデータ構成について説明する。図３は、データベースに格納される検索対象ＩＤテーブルＴのデータ構成を示す図である。検索対象ＩＤテーブルＴには、データ項目として検索対象ＩＤと、自営網登録番号と、公衆網登録番号がある。検索対象ＩＤには、検索対象である携帯端末８０を一意に特定する識別ＩＤが格納され、自営網登録番号には、自営網内における携帯端末８０の登録番号が格納され、公衆網登録番号には、公衆網内における携帯端末８０の登録番号が格納される。なお、本実施形態における検索対象ＩＤおよび公衆網登録番号には、携帯端末８０の加入者番号（電話番号）が採用されている。
【００２０】
図２に示される自営網検索要求送信部１３は、自営網検索要求生成部１２により生成された自営網用位置検索要求を自営網内交換機２０に送信する。
【００２１】
応答判断部１４は、自営網内交換機２０から所定の時間内に所定の応答を受信したか否かを判断する。ここで、所定の時間の計測は、自営網検索要求送信部１３により自営網内交換機２０宛に自営網用位置検索要求が送信された時点に開始される。また、所定の応答としては、例えば、携帯端末８０が自営網内に存在することを示す応答があり、この応答には、携帯端末８０が存在するオフィスアンテナ３０に関するオフィスアンテナ情報や、そのオフィスアンテナ３０において携帯端末８０から受信した電波の強度を示す受信電波強度情報が含まれる。オフィスアンテナ情報としては、例えば、オフィスアンテナ３０を識別する識別ＩＤがある。
【００２２】
位置算出部１５は、応答判断部１４により自営網内交換機２０から所定の時間内に所定の応答を受信したと判断された場合に、所定の応答に含まれるオフィスアンテナ情報や受信電波強度情報に基づいて、携帯端末８０が存在する場所の緯度経度情報や建物のフロア情報を位置情報として算出する。
【００２３】
公衆網検索要求生成部１６は、応答判断部１４により自営網内交換機２０から所定の時間内に所定の応答を受信していないと判断された場合に、検索要求受信部１１により受信された検索対象ＩＤに基づいて、この検索対象ＩＤに対応する検索対象の公衆網内における公衆網登録番号を含む公衆網用位置検索要求を生成する。具体的に説明すると、公衆網検索要求生成部１６は、検索対象ＩＤに基づいて、記憶部１Ｂにより検索対象ＩＤに対応して記憶されている公衆網登録番号を抽出する公衆網登録番号抽出部（第２の抽出手段）１６Ａを含んで構成されている。公衆網検索要求生成部１６は、公衆網登録番号抽出部１６Ａにより抽出された公衆網登録番号を含む公衆網用位置検索要求を生成する。
【００２４】
公衆網検索要求送信部１７は、公衆網検索要求生成部１６により生成された公衆網用位置検索要求を位置管理サーバ４０に送信する。
【００２５】
位置情報受信部１８は、公衆網検索要求送信部１７により送信された公衆網用位置検索要求に対応する携帯端末８０の位置情報を位置管理サーバ４０から受信する。
【００２６】
通知部１９は、位置算出部１５により算出された携帯端末８０の位置情報を検索者側端末６０に通知する。また、通知部１９は、位置情報受信部１８により受信された携帯端末８０の位置情報を検索者側端末６０に通知する。
【００２７】
位置情報蓄積部１Ａは、位置算出部１５により算出された携帯端末８０の位置情報、および位置情報受信部１８により受信された携帯端末８０の位置情報を記憶部１Ｂにより管理されているデータベースに蓄積して記憶させる。
【００２８】
図１に示される自営網内交換機２０は、例えば、事業所の構内に設置される交換機であり、事業所内に設置されている各オフィスアンテナ３０を相互に接続するとともに、公衆回線７０への接続も行う。自営網内交換機２０の具体例としては、ＰＢＸ（Private Branch Exchange）がある。
【００２９】
図１に示される位置管理サーバ４０は、位置検索管理サーバ１０から公衆網用位置検索要求を受信した場合に、公衆網用位置検索要求に対応する携帯端末８０の現在位置を含む位置情報を、位置検索管理サーバ１０に送信する。ここで、位置管理サーバ４０は、例えば、携帯端末８０がつかんだ一または複数の基地局５０から当該携帯端末８０が受ける電界強度を取得し、この電界強度に基づいて、携帯端末８０の現在位置を推定する。
【００３０】
図１に示される携帯端末８０は、公衆網内における公衆網登録番号（加入者番号）と自営網内における自営網登録番号とを設定することができる携帯端末である。携帯端末８０は、この携帯端末８０が公衆網内に存在するときには、公衆網登録番号を携帯端末の登録番号として使用するモードに移行し、携帯端末８０が自営網内に存在するときには、自営網登録番号を携帯端末の登録番号として使用するモードに移行することが可能な端末である。なお、本実施形態における携帯端末８０としては、例えば、携帯電話機、簡易型携帯電話機（ＰＨＳ）、あるいは通信機能を有する携帯型情報端末（ＰＤＡ）等の移動通信端末が該当する。また、検索者側端末６０としては、例えば、携帯電話機、簡易型携帯電話機（ＰＨＳ）、あるいは通信機能を有する携帯型情報端末（ＰＤＡ）等の移動通信端末が該当するが、必ずしも移動通信端末である必要はなく、例えば、パーソナルコンピュータ等の据え置き型の通信端末であってもよい。
【００３１】
次に、図４および図５を参照して、位置検索管理システム１における位置検索管理処理の動作を説明する。図４は、携帯端末８０が自営網内に存在する場合における位置検索管理処理の動作を示すシーケンスチャートであり、図５は、携帯端末８０が自営網内に存在しない場合における位置検索管理処理の動作を示すシーケンスチャートである。
【００３２】
まず、図４に示すシーケンスチャートから説明をする。検索者側端末６０は、ユーザからの操作指示に基づいて、検索対象である携帯端末８０を一意に特定する検索対象ＩＤを含む位置検索要求を生成し、生成した位置検索要求を位置検索管理サーバに送信する（ステップＳ１）。
【００３３】
次に、位置検索管理サーバ１０の自営網登録番号抽出部１２Ａは、検索要求受信部１１により受信された位置検索要求に含まれる検索対象ＩＤに基づいて、検索対象ＩＤテーブルＴから当該検索対象ＩＤに対応する自営網登録番号を抽出する（ステップＳ２）。
【００３４】
次に、位置検索管理サーバ１０の自営網検索要求生成部１２は、自営網登録番号抽出部１２Ａにより抽出された自営網登録番号を含む自営網用位置検索要求を生成する（ステップＳ３）。
【００３５】
次に、位置検索管理サーバ１０の自営網検索要求送信部１３は、自営網検索要求生成部１２により生成された自営網用位置検索要求を自営網内交換機２０に送信する（ステップＳ４）。
【００３６】
次に、自営網内交換機２０は、自営網内のオフィスアンテナ３０を中継させて携帯端末８０宛に応答要求を送信する（ステップＳ５）。
【００３７】
携帯端末８０が自営網内に設置されているいずれかのオフィスアンテナ３０の通信エリア内に存在する場合において、携帯端末８０は、自営網内交換機２０から送信された応答要求を受信した後に、当該応答要求に対応する応答信号を自営網内交換機２０に送信する（ステップＳ６）。
【００３８】
次に、自営網内交換機２０は、携帯端末８０から応答信号を受信した後に、当該応答信号を中継した一または複数のオフィスアンテナ３０におけるオフィスアンテナ情報および受信電波強度情報を応答信号に付加し、この付加後の応答信号を位置検索管理サーバ１０に送信する（ステップＳ７）。このように、自営網内交換機２０から位置検索管理サーバ１０宛に所定の時間内に応答信号が送信されることにより、位置検索管理サーバ１０の応答判断部１４は、自営網内交換機２０から所定の時間内に応答信号を受信したと判断する。
【００３９】
次に、位置検索管理サーバ１０の位置算出部１５は、自営網内交換機２０から受信した応答信号に含まれるオフィスアンテナ情報および受信電波強度情報に基づいて、携帯端末８０が現時点において存在する場所を示す緯度経度情報あるいは建物のフロア情報等を、位置情報として算出する（ステップＳ８）。
【００４０】
位置検索管理サーバ１０の位置情報蓄積部１Ａは、位置算出部１５により算出された携帯端末８０の位置情報を記憶部１Ｂにより管理されているデータベースに蓄積して記憶させる（ステップＳ９）。
【００４１】
位置検索管理サーバ１０の通知部１９は、位置算出部１５により算出された携帯端末８０の位置情報を検索者側端末６０に通知する（ステップＳ１０）。
【００４２】
次に、図５を参照して、携帯端末８０が自営網内に存在しない場合における位置検索管理処理の動作について説明する。なお、図５に示すステップＳ１〜Ｓ５の各処理は、上述した図４に示すステップＳ１〜Ｓ５の各処理と、それぞれ同一であるため、説明を省略し、ステップＳ６以降の処理についてのみ説明する。
【００４３】
携帯端末８０が自営網内に存在しない場合には、ステップＳ５において送信された応答要求が携帯端末８０に受信されることがなく、携帯端末８０から応答信号が送信されることもないため、位置検索管理サーバ１０の応答判断部１４は、自営網内交換機２０から所定の時間内に所定の応答を受信していないと判断する。すなわち、位置検索管理サーバ１０において応答信号待ちのタイムアウトが発生した状態となる（ステップＳ１１）。
【００４４】
次に、位置検索管理サーバ１０の公衆網登録番号抽出部１６Ａは、検索要求受信部１１により受信された位置検索要求に含まれる検索対象ＩＤに基づいて、検索対象ＩＤテーブルＴから当該検索対象ＩＤに対応する公衆網登録番号を抽出する（ステップＳ１２）。
【００４５】
次に、位置検索管理サーバ１０の公衆網検索要求生成部１６は、公衆網登録番号抽出部１６Ａにより抽出された公衆網登録番号を含む公衆網用位置検索要求を生成する（ステップＳ１３）。
【００４６】
次に、位置検索管理サーバ１０の公衆網検索要求送信部１７は、公衆網検索要求生成部１６により生成された公衆網用位置検索要求を位置管理サーバ４０に送信する（ステップＳ１４）。
【００４７】
次に、位置管理サーバ４０は、移動通信網内の基地局５０を中継させて携帯端末８０宛に応答要求を送信する（ステップＳ１５）。
【００４８】
携帯端末８０が移動通信網内に設置されているいずれかの基地局５０の通信エリア内に存在する場合において、携帯端末８０は、位置管理サーバ４０から送信された応答要求を受信した後に、当該応答要求に対応する応答信号を位置管理サーバ４０に送信する（ステップＳ１６）。
【００４９】
次に、位置管理サーバ４０は、携帯端末８０から送信された応答信号を受信した場合に、携帯端末８０がつかんだ一または複数の基地局５０から当該携帯端末８０が受ける電界強度を取得し、この電界強度に基づいて携帯端末８０の現在位置を推定する。そして、位置管理サーバ４０は、携帯端末８０の現在位置を含む位置情報を位置検索管理サーバ１０に送信する（ステップＳ１７）。
【００５０】
位置検索管理サーバ１０の位置情報蓄積部１Ａは、位置情報受信部１８により受信された携帯端末８０の位置情報を記憶部１Ｂにより管理されているデータベースに蓄積して記憶させる（ステップＳ１８）。
【００５１】
位置検索管理サーバ１０の通知部１９は、位置情報受信部１８により受信された携帯端末８０の位置情報を検索者側端末６０に通知する（ステップＳ１９）。
【００５２】
以上のように、位置検索管理サーバ１０は、検索者側端末６０から位置検索要求を受信した場合に、まず、位置検索要求に含まれる検索対象ＩＤに対応する自営網登録番号に基づいて自営網用位置検索要求を生成し、この自営網用位置検索要求を自営網内交換機２０に送信する。これにより、自営網内に検索対象である携帯端末８０が存在するか否かを確認することができる。また、位置検索管理サーバ１０は、自営網内に携帯端末８０が存在しないと判断した場合に、検索者側端末６０から受信した位置検索要求に含まれる検索対象ＩＤに対応する公衆網登録番号に基づいて公衆網用位置検索要求を生成し、この公衆網用位置検索要求を位置管理サーバ１０に送信する。これにより、公衆網内に携帯端末８０が存在するか否かを確認することができる。
すなわち、位置検索管理サーバ１０は、携帯端末８０の現在位置を、まず、課金のかからない自営網に問い合わせて、自営網内に携帯端末８０が存在しないと判断した場合にのみ、公衆網に携帯端末８０の現在位置を問い合わせることができる。したがって、本実施形態における位置検索管理サーバ１０を採用することにより、位置検索要求を受信した場合に、毎回、自営網と公衆網の両方の網に問い合わせる必要がなくなるため、ネットワークのトラフィックを削減し、システム内の負荷の低減を図ることが可能になる。さらに、例えば、自営網が事業所内に構築されている場合には、事業所の従業員が所持する携帯端末８０は自営網内に存在する場合が多い。このような場合に、本実施形態における位置検索管理サーバ１０を採用すると、課金のかからない自営網に問い合わせるだけで携帯端末８０の現在位置を通知できる場合が多くなるため、通信費用の削減を図ることが可能になる。
【００５３】
また、位置検索管理サーバ１０は、携帯端末８０が自営網内に存在する場合には自営網内における現在位置を検索者側端末６０に通知させることができ、携帯端末８０が公衆網内に存在する場合には公衆網内における携帯端末８０の現在位置を検索者側端末６０に対して通知させることができる。したがって、検索者側端末６０のユーザは、携帯端末８０が、自営網内または公衆網内のいずれかに存在していれば携帯端末８０を所持するユーザの現在位置を把握することができる。
【００５４】
最後に、本発明の実施形態にかかる位置検索管理プログラム、および、当該位置検索管理プログラムを記録したコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
【００５５】
記録媒体は、プログラムを記録するプログラム領域を備えている。このプログラム領域には、位置検索管理プログラムが記録されている。位置検索管理プログラムは、検索要求受信モジュールと、自営網登録番号抽出モジュールと、自営網検索要求生成モジュールと、自営網検索要求送信モジュールと、応答判断モジュールと、位置算出モジュールと、公衆網登録番号抽出モジュールと、公衆網検索要求生成モジュールと、公衆網検索要求送信モジュールと、位置情報受信モジュールと、通知モジュールと、位置情報蓄積モジュールと、記憶モジュールとを備えて構成される。ここで、検索要求受信モジュール、自営網登録番号抽出モジュール、自営網検索要求生成モジュール、自営網検索要求送信モジュール、応答判断モジュール、位置算出モジュール、公衆網登録番号抽出モジュール、公衆網検索要求生成モジュール、公衆網検索要求送信モジュール、位置情報受信モジュール、通知モジュール、位置情報蓄積モジュールおよび記憶モジュールのそれぞれを動作させることによって実現する機能は、上述した位置検索管理サーバ１０の検索要求受信部１１、自営網登録番号抽出部１２Ａ、自営網検索要求生成部１２、自営網検索要求送信部１３、応答判断部１４、位置算出部１５、公衆網登録番号抽出部１６Ａ、公衆網検索要求生成部１６、公衆網検索要求送信部１７、位置情報受信部１８、通知部１９、位置情報蓄積部１Ａおよび記憶部１Ｂのそれぞれにより実現される機能と同様である。
【図面の簡単な説明】
【００５６】
【図１】発明の実施形態における位置検索管理システムのシステム構成を示す図である。
【図２】図１に示す位置検索管理サーバの機能構成を示す図である。
【図３】図２に示す記憶部により管理される検索対象ＩＤテーブルのデータ構成を示す図である。
【図４】実施形態における位置検索管理処理の動作を示すシーケンス図である。
【図５】実施形態における位置検索管理処理の動作を示すシーケンス図である。
【符号の説明】
【００５７】
１・・・位置検索管理システム、１０・・・位置検索管理サーバ、１１・・・検索要求受信部、１２・・・自営網検索要求生成部、１２Ａ・・・自営網登録番号抽出部、１３・・・自営網検索要求送信部、１４・・・応答判断部、１５・・・位置算出部、１６・・・公衆網検索要求生成部、１６Ａ・・・公衆網登録番号抽出部、１７・・・公衆網検索要求送信部、１８・・・位置情報受信部、１９・・・通知部、１Ａ・・・位置情報蓄積部、１Ｂ・・・記憶部、２０・・・自営網内交換機、３０・・・オフィスアンテナ、４０・・・位置管理サーバ、５０・・・基地局、６０・・・検索者側端末、７０・・・公衆回線、８０・・・携帯端末。
【図１】
2005354609.tif 000003
【図２】
2005354609.tif 000004
【図３】
2005354609.tif 000005
【図４】
2005354609.tif 000006
【図５】
2005354609.tif 000007